(57)【要約】【課題】レンズの縁面に設けた溝に嵌着してレンズを保持する線材の端部の係止固定作業が鼻側リムの内側方から容易に行なえ、デザイン的にも優れた眼鏡フレームを提供する。【解決手段】ブリッジ４によって互いに連結され、左右のレンズ２，２の鼻側縁面を保持する左右一対の鼻側リム３，３と、レンズ２の縁面に形成された溝５に嵌着して、レンズ縁面を保持する柔軟性を有する線材６とを備え、線材６の両端を鼻側リム３の両端部に係止固定してレンズ２を保持する眼鏡フレームにおいて、鼻側リム３のテンプル側の端部に内側方へ開口１３，１４する２つの切欠き部１１，１２が設けられ、線材６の端部６ａを鼻側リム３の内側から開口１３，１４を通じて両切欠き部１１，１２に挿入し、係止固定するように構成されている。【選択図】　　　　図４
2004133228.tif 000002
【特許請求の範囲】
【請求項１】
ブリッジによって互いに連結され、左右のレンズの鼻側縁面を保持する左右一対の鼻側リムと、前記レンズの縁面に形成された溝に嵌着してレンズ縁面を保持する柔軟性を有する線材とを備え、前記線材の両端を前記鼻側リムの両端部に係止固定して前記レンズを保持する眼鏡フレームにおいて、
前記鼻側リムのテンプル側の端部に内側方へ開口する２つの切欠き部が設けられ、
前記線材の端部を前記鼻側リムの内側方から前記開口を通じて前記両切欠き部に挿入し、係止固定するように構成されている眼鏡フレーム。
【請求項２】
前記鼻側リムの上側に隣接して取り付けられる部品と、前記鼻側リムの前記切欠き部を設けた部分の上面との間に前記線材の直径より大きい隙間が設けられ、かつ、前記部品によって前記切欠き部に係止固定した前記線材の端部が覆い隠されることを特徴とする請求項１記載の眼鏡フレーム。
【発明の詳細な説明】
【０００１】
【発明の属する技術分野】
本発明は、レンズの縁面に形成された溝に嵌着した柔軟性を有する線材（ナイロン糸等）でレンズを保持する構造の眼鏡フレームに関する。
【０００２】
【従来の技術】
従来、この種の眼鏡フレームとして、図６に示すような構造を有しているものが知られている。該眼鏡フレーム１は、左右のレンズ２，２の鼻側縁面を保持する左右一対の鼻側リム３，３と、これら両鼻側リム３，３を互いに連結するブリッジ４と、レンズ２の縁面に形成された溝５に嵌着してレンズ２の縁面を保持する柔軟性を有する線材（例えば、ナイロン糸等）６とを備えている。鼻側リム３の両端部には線材６の端部を係止する２つの係止孔７，８が長手方向に並列して設けられている。これらの係止孔７，８はレンズ２の縁面に当接する内側面から外側面に貫通しており、線材６の端部６ａを係止孔７の内側から外側へ挿通したのち屈曲して、係止孔８の外側から内側へ挿通し、その自由端６ｂをレンズ２の溝５に収納して係止固定する構造になっている。なお、鼻側リム３の係止孔７，８を設ける両端部を除いた内側面には、レンズ２の溝５に嵌合する突条部９が一体に突設されている。
【０００３】
【発明が解決しようとする課題】
上記従来の眼鏡フレーム１のレンズ保持構造は、線材６の端部６ａが鼻側リム３の外側に屈曲して突出するので、デザイン的に好ましくない。のみならず、鼻側リム３の上面に隣接してブローなどの部品を取り付けると、係止孔７，８が前記部品によって隠蔽され、線材６の端６ａを係止孔７，８に挿通して係止することができなくなるという問題があった。
【０００４】
本発明は、上記従来の問題点を解決するもので、線材端部の係止固定作業が鼻側リムの内側方から容易に行なえ、デザイン的にも優れた眼鏡フレームを提供することを目的とする。
【０００５】
【課題を解決するための手段】
上記目的を達成するために、本発明は、ブリッジによって互いに連結され、左右のレンズの鼻側縁面を保持する左右一対の鼻側リムと、前記レンズの縁面に形成された溝に嵌着して、レンズ縁面を保持する柔軟性を有する線材とを備え、前記線材の両端を前記鼻側リムの両端部に係止固定して前記レンズを保持する眼鏡フレームにおいて、前記鼻側リムのテンプル側の端部に内側方へ開口する２つの切欠き部が設けられ、前記線材の端部を前記鼻側リムの内側から前記開口を通じて前記両切欠き部に挿入し、係止固定するように構成されている。
【０００６】
また、前記鼻側リムの上側に隣接して取り付けられる部品と、前記鼻側リムの前記切欠き部を設けた部分の上面との間に前記線材の直径より大きい隙間が設けられ、かつ、前記部品によって前記切欠き部に係止固定した前記線材の端部が覆い隠される構成にすると、前記線材の端部が前記切欠き部に横方向から容易に係止固定できるものでありながら、デザインにもすぐれた眼鏡フレームが得られる。
【０００７】
【発明の実施の形態】
以下、本発明の好適な実施の形態を図面に基づいて説明する。図１は、本発明による眼鏡フレーム１０を示しており、図６に示した従来の眼鏡フレーム１と同一の構成部部については、同一の符号を付して説明は省略する。
【０００８】
鼻側リム３のテンプル側端部３ａには、図４及び図５に良く示されているように、従来の係止孔７，８に代えて２つの切欠き部１１，１２が長手方向へ適宜の間隔を隔てて設けられている。両切欠き部１１，１２は、鼻側リム３の内側方（眼鏡装着時に顔面に対向する内側）に開口１３，１４を有している。
【０００９】
また、鼻側リム３の上面に沿って延びるブロー１５が鼻側リム３の上面にろう付け等で固着されている。該ブロー１５は、図２及び図３に示すように、切欠き部１１，１２を設けた鼻側リム３のテンプル側端部３ａに対向位置する部分に欠除部１６を有している。この欠除部１６により、鼻側リム１５との間に線材６の直径より大きい隙間Ｃが形成され、線材６の端部６ａを鼻側リム３の内側方から開口１３，１４を通じて切欠き部１１，１２に挿通して係止固定する作業が容易に行なえる。しかも、切欠き部１１，１２に係止固定された線材６の端部６ａはブロー１５で覆い隠され、突出しないので、デザイン的にも優れており、商品価値を高めることができる。
【００１０】
【発明の効果】
以上説明したように、本発明の眼鏡フレームは、鼻側リムのテンプル側端部に内側方へ開口する２つの切欠き部を設けただけの簡単な構造により、線材の端部を前記鼻側リムの内側から挿入して係止固定することができ、前記鼻側リムの上面に取り付けられたブロー等の部品によって係止固定作業に支障を来すことがない。
【００１１】
また、前記線材の係止端部が前記部品によって覆い隠すことができるので、デザイン的にも優れ、商品価値を高めることができる。
【図面の簡単な説明】
【図１】本発明による眼鏡フレームの正面図である。
【図２】同要部の拡大断面図である。
【図３】図２の３−３に沿う断面拡大図である。
【図４】同上鼻側リムのテンプル側端部に線材の端部を係止固定した状態を示す拡大平面図である。
【図５】同上鼻側リムのテンプル側端部を示す斜視図である。
【図６】従来の眼鏡フレームの一部縦断正面図である。
【符号の説明】
２　レンズ
３　鼻側リム
４　ブリッジ
５　溝
６　線材（ナイロン糸等）
６ａ　線材６の端部
１０　眼鏡フレーム
１１，１２　切欠き部
１３，１４　開口
１５　ブロー
１６　欠除部
【図１】
2004133228.tif 000003
【図２】
2004133228.tif 000004
【図３】
2004133228.tif 000005
【図４】
2004133228.tif 000006
【図５】
2004133228.tif 000007
【図６】
2004133228.tif 000008